(57)【特許請求の範囲】
【請求項１】
空白部をはさんで互いに離間して２次元配列された複数の画素によって形成された画像を表示している画像表示手段からの光を印画紙に照射して、上記画像を上記印画紙に焼き付けるようになっている写真焼付装置であって、
上記画像表示手段からの光を反射させて上記印画紙に向かわせることができ、かつその反射特性を変化させることにより、上記光の上記印画紙への照射位置を変化させることができる光反射手段が設けられていて、
上記光反射手段の反射特性が基準状態にあるときに、上記画像表示手段が表示している画像が上記印画紙に焼き付けられて、上記画素に対応する画像部と上記空白部に対応する無画像部とを伴った画像が上記印画紙上に形成され、
上記光反射手段の反射特性を上記基準状態から微少量変化させ、上記各画素の印画紙への投影像がそれぞれ上記無画像部に移動するように上記光の上記印画紙への照射位置をずらすことにより、上記無画像部に上記投影像が焼き付けられる一方、
上記光反射手段がその反射特性を基準状態から微少量変化させて、上記光の上記印画紙への照射位置をずらせたときに、上記画像表示手段の画像が上記無画像部に形成すべき画像に切り替えられるようになっていることを特徴とする写真焼付装置。
【請求項２】
上記光反射手段が、その反射特性を所定の状態まで大きく変化させたときには、ネガフィルムの透過光を反射させて上記印画紙に向かわせるようになっていることを特徴とする、請求項１に記載の写真焼付装置。
【請求項３】
上記光反射手段が、所定の方向に移動することができる少なくとも１つの移動反射部材と、位置が固定された固定反射部材とを備えていて、上記移動反射部材を移動させることにより上記光の反射特性を変化させるようになっていることを特徴とする、請求項１又は２に記載の写真焼付装置。
【請求項４】
上記光反射手段が、プリズム又は反射鏡で上記光を反射させるようになっていることを特徴とする請求項１〜３のいずれか１つに記載の写真焼付装置。
【発明の詳細な説明】
【０００１】
【発明の属する技術分野】
本発明は、画像源たるネガフィルム又は多数の画素により形成された画像を表示している画像表示手段から光を印画紙に照射して、該画像を印画紙に焼き付けるようになっている写真焼付装置に関するものであって、とくにネガフィルム又は画像表示手段と印画紙との間の光路に配置された光反射手段の反射特性を変化させることにより、画素ずらしを行って高画質のプリント写真を得ることができ、あるいは画像源を切り替えることができるようになっている写真焼付装置に関するものである。
【０００２】
【従来の技術】
多数の画素により形成された画像を表示しているデジタル式の画像表示手段、例えばＬＣＤ（液晶ディスプレイ）からの光を印画紙に照射（露光）し、該画像を印画紙に焼き付けるようにした写真焼付装置は従来より知られている。そして、かかる画像表示手段においては、各画素が空白部（無画素部）を隔てて２次元配列されているので、該画像表示手段の画像を単純に印画紙に焼き付けたのでは、空白部に対応する部分には画素の投影像は形成されず、ネガフィルムの画像を印画紙に焼き付ける場合などに比べて、プリント写真の画質が悪くなるといった問題がある。すなわち、印画紙上の、画素に対応する部分には該画素の投影像（以下、これを「画素投影像」という）が焼き付けられるが、空白部に対応する部分には画素投影像は焼き付けられず、単なる無画像部となる。
【０００３】
そこで、かかる写真焼付装置においては、画素ずらしを行うことにより、画質の向上を図るといった対応がなされることが多い。ここで、画素ずらしとは、画像表示手段の画像を印画紙に焼き付けた後、画像表示手段と印画紙との相対的な位置関係を微少量（例えば、半画素分、すなわち図８（ａ）中の１画素長Ａの半分）ずれさせた上で、さらに画像表示手段の画像を印画紙に焼き付けて無画像部に画素投影像を形成し、印画紙上での画素投影像の密度を高めてプリント写真の画質の向上を図るといった写真焼付手法である。なお、かかる画素ずらしは、普通、複数回行われ、例えば、基準状態から、まず右側への画素ずらしを行い、続いて前側への画素ずらしを行い、さらに左側への画素ずらしを行い、この後画像表示手段と印画紙との相対的な位置関係を基準状態に復帰させるといった手順で行われる。
【０００４】
そして、かかる従来の写真焼付装置では、画像表示手段と印画紙との相対的な位置関係は、一般に、印画紙を前後左右に移動させることにより、あるいは画像表示手段を前後左右に移動させることにより変化させるようにしている。
具体的には、例えば図７（ａ）に示すように、ランプ１０１（光源）から放射された光１０２が画像表示手段１０３を通過した後、焼付レンズ１０４とＢＧＲフィルタ１０５とを透過して、可動ステージ１０６（ＸＹステージ）の上に配置された印画紙１０７に照射される。そして、可動ステージ１０６（印画紙１０７）が、Ｘ1、Ｘ2、Ｙ1、Ｙ2方向（前後左右）に平面的に移動し、これにより画像表示手段１０３と印画紙１０７との間の相対的な位置関係が変化させられる。
【０００５】
あるいは、図７（ｂ）に示すように、画像表示手段１０３が可動ステージ１０８（ＸＹステージ）上に配置され、可動ステージ１０８（画像表示手段１０３）をＸ1、Ｘ2、Ｙ1、Ｙ2方向（前後左右）に平面的に移動させることにより、画像表示手段１０３と印画紙１０７との間の相対的な位置関係が変化させられる。
【０００６】
かくして、画素ずらしを行わない場合は、図８（ａ）に示すように、印画紙１０７上において各画素投影像１１０の間に無画像部１１１が形成され、印画紙１０７上での画素投影像密度が低くなり、画質が悪くなる。
他方、例えば図８（ｂ）に示すように、右方向、前方向、左方向の順に３回の画素ずらしを行う場合、無画像部１１１には、右方向への画素ずらしにより第２画素投影像１１２が形成され、前方向への画素ずらしにより第３画素投影像１１３が形成され、左方向への画素ずらしにより第４画素投影像１１４が形成される。これにより、無画像部１１１が実質的に消滅し、画素投影像密度が４倍に増加して画質の高いプリント写真が得られる。この後、画像表示手段１０３と印画紙１０７との間の相対的な位置関係が基準状態（１回目の画素ずらしを行う前の状態）に戻される。
【０００７】
【発明が解決しようとする課題】
しかしながら、例えば図７（ａ）に示すような、可動ステージ１０６で印画紙１０７をＸ1、Ｘ2、Ｙ1、Ｙ2方向に移動させることにより画素ずらしを行うようにした写真焼付装置では、シート状の印画紙には問題なく対処することができるものの、ロール状（帯状）の印画紙に対処することは極めて困難であるといった問題がある。すなわち、ロール状の印画紙を左右（印画紙搬送方向と垂直な方向）に移動させることは極めて困難である。
また、例えば図７（ｂ）に示すような、可動ステージ１０８で画像表示手段１０３をＸ1、Ｘ2、Ｙ1、Ｙ2方向に移動させることにより画素ずらしを行うようにした写真焼付装置では、画像表示手段１０３に振動が加わり、該振動が画像表示手段１０３に悪影響を与えるおそれがあるといった問題がある。
【０００８】
ところで、プリント写真は、ＬＣＤ等のデジタル式の画像表示手段の画像だけではなく、ネガフィルム等の画像を印画紙に焼き付けることによっても作成される。このため、一般に写真焼付装置は、画像表示手段とネガフィルムの両方の画像源に対してプリント写真を作成することができるようになっている。そして、かかる従来の写真焼付装置においては、画像源の切り替え、すなわち画像表示手段の露光とネガフィルムの露光の切り替えを行うために、専用の切り替え手段が設けられている。
【０００９】
具体的には、例えば図９（ａ）に示すように、かかるタイプの従来の写真焼付装置１２０では、デジタル式のＬＣＤ（画像表示手段）を露光するためのＬＣＤユニット１２１と、ネガフィルムを露光するためのオートネガマスク１２２とを設け、図９（ｂ）、（ｃ）に示すように、ＬＣＤユニット１２１とオートネガマスク１２２とを取り替えることにより、画像源を切り替えるようにしている。このため、画素ずらし手段に加えて、画像源切替手段を別途設ける必要があり、該写真焼付装置１２０の構成部品（部品点数）が多くなるといった問題がある。なお、光路中にミラー機構を設け、該ミラー機構により画像源の切り替えを行うようにした写真焼付装置も知られているが、この場合でも画素ずらし手段に加えて、該ミラー機構を別途設ける必要があるのはもちろんである。
【００１０】
本発明は、上記従来の問題点を解決するためになされたものであって、印画紙の形態にかかわらず、また画像表示手段に振動を加えることなく、画素ずらしを容易に行うことができ、さらにはネガフィルムの露光と画像表示手段の露光とを容易に切り替えることができるコンパクトな写真焼付装置を提供することを解決すべき課題とする。
【００１１】
【課題を解決するための手段】
上記課題を解決するためになされた本発明にかかる写真焼付装置は、（ａ）空白部（画素が存在しない部分）をはさんで互いに離間して２次元配列された複数の画素によって形成された画像を表示している画像表示手段からの光を印画紙に照射して、該画像を印画紙に焼き付けるようになっている写真焼付装置であって、（ｂ）画像表示手段からの光を、例えばプリズム、反射鏡等で反射させて印画紙に向かわせることができ、かつその反射特性を変化させることにより、上記光の印画紙への照射位置を変化させることができる光反射手段が設けられていて、（ｃ）光反射手段の反射特性が基準状態にあるときに、画像表示手段が表示している画像が印画紙に焼き付けられて、画素に対応する画像部と空白部に対応する無画像部とを伴った画像が印画紙上に形成され、（ｄ）該光反射手段の反射特性を基準状態から微少量変化させ、各画素の印画紙への投影像がそれぞれ無画像部（本来は投影像が存在しない部分）に移動するように上記光の印画紙への照射位置をずらす（すなわち、画素ずらしを行う）ことにより、上記無画像部に上記投影像が焼き付けられる一方、（ｅ）光反射手段がその反射特性を基準状態から微少量変化させて、上記光の印画紙への照射位置をずらせたときに、画像表示手段の画像が無画像部に形成すべき（適切な）画像に切り替えられるようになっていることを特徴とするものである。
【００１２】
この写真焼付装置においては、印画紙と画像表示手段とを固定した（停止させた）状態で、光反射手段の反射特性を変化させるだけで画素ずらしを行って、無画像部に、該無画像部に形成すべき投影像を焼き付けることができるので、プリント写真の画質の向上を図ることができる。したがって、印画紙はシート状のものに限定されず、どのような形態の印画紙（例えば、ロール状ないしは帯状の印画紙）にも支障なく対処することができる。また、画素表示手段に振動が加わることがない。
【００１４】
また、上記写真焼付装置においては、光反射手段が、その反射特性を所定の状態まで大きく変化させたときには、（画像表示手段からの光を印画紙に向かわせずに）ネガフィルムの透過光を反射させて印画紙に向かわせるようになっているのが好ましい。このようにすれば、光反射手段の反射特性を変化させることにより、画素ずらしを行うことができ、かつ画像表示手段の露光とネガフィルムの露光とを切り替えることができる。したがって、画像源切替手段を別途設ける必要がなくなり、写真焼付装置の構成部品が少なくなり、該写真焼付装置がコンパクト化される。
【００１５】
さらに、上記写真焼付装置においては、光反射手段が、所定の方向に移動することができる少なくとも１つの移動反射部材（移動ミラー、移動プリズム等）と、位置が固定された固定反射部材（固定ミラー、固定プリズム等）とを備えていて、移動反射部材を（直線的に）移動させることにより、上記光の反射特性を変化させるようになっているのが好ましい。このようにすれば、光反射手段の構造が簡素なものとなり、かつ上記光の位置決め精度が良くなる。
【００１６】
【発明の実施の形態】
以下、本発明の実施の形態を具体的に説明する。
図１（ａ）は本発明にかかる写真焼付装置の斜視図であり、図１（ｂ）は該写真焼付装置の模式的な立面断面図であり、図１（ｃ）は該写真焼付装置の模式的な平面断面図である。また、図１（ｂ）、（ｃ）には、露光部内における印画紙及び光路（露光方向）の概略が示されている。なお、図１（ａ）〜（ｃ）において図示が省略されている露光部の詳細は図２〜図５に示されている。
【００１７】
図１（ａ）〜（ｃ）に示すように、本発明にかかる写真焼付装置１においては、ペーパーマガジン２内に収容されているロール状の印画紙３が、該ペーパーマガジン２から引き出された後、カッター（図示せず）で所定のサイズのコマ長さにカットされてシート状の印画紙３（図２参照）となり、印画紙搬送機構４によって焼付部５に搬送されるようになっている。そして、シート状の印画紙３は、焼付部５で画像が焼き付けられた後、現像処理部６で現像され、さらに乾燥部７で乾燥させられ、この後取り出し部（図示せず）からプリント写真として取り出されるようになっている。なお、ここでは印画紙３は画像焼き付け前にシート状にカットするようにしているが、画像焼き付け後にシート状にカットするようにしてもよい。すなわち、ロール状ないしは帯状の印画紙３に画像を焼き付けるようにしてよい。
【００１８】
この写真焼付装置１において、焼付部５内の露光部８では、印画紙３を露光して該印画紙３に画像を焼き付けるようになっているが、以下この露光部８の具体的な構造を説明する。
図２（ａ）、（ｂ）は、露光部８において、第１ランプボックス９内に配置された第１ランプ１０（光源）又は第２ランプボックス１１内に配置された第２ランプ１２（光源）から放射された光が、印画紙３に到達するまでの光路に配置された各種機器の概略構成を示す斜視図であり、画像表示手段１３の露光（デジタル露光）と、ネガフィルム１４の露光（ネガ露光）の切り替え手法をも示している。
【００１９】
図２（ａ）、（ｂ）に示すように、この写真焼付装置１では、第１ランプ１０又は第２ランプ１２によって露光される被露光体すなわち画像源としては、デジタル式の画像表示手段１３とネガフィルム１４とを用いることができるようになっている。なお、画像表示手段１３としては、例えば、透過型ＬＣＤ、反射型ＬＣＤ、ＰＬＺＴ、ＬＥＤパネル、ＤＭＤ、ＣＲＴ、ＶＦＤ、ＰＤＰ等があげられる。さらに、この光路には、移動ミラー１５及び固定ミラー１６を備えた光反射手段１７と、焼付レンズ１８と、ＢＧＲフィルタ１９とが設けられている。
【００２０】
ここで、移動ミラー１５は、Ａ1方向又はＡ2方向に直線状に移動することができるようになっており、この移動ミラー１５の移動により、光路を変化させて、画像表示手段１３の露光とネガフィルム１４の露光とを切り替え、あるいは後記の画素ずらしを行うことができるようになっている。なお、図２（ａ）、（ｂ）には、光源として２個のランプ１０、１２を搭載した例が示されているが、プリズムやミラー（例えば、ハーフミラーと全反射ミラー等との組合せ）等の光誘導手段を用いて、１個のランプから画像表示手段１３とネガフィルム１４とにそれぞれ光を導くようにしてもよい。
【００２１】
ここで、移動ミラー１５をＡ1方向又はＡ2方向に直線状に移動させるミラー移動機構としては、図５に示すような、ねじを利用したスライド機構２０が用いられる。
図５に示すように、このスライド機構２０においては、モータ２１の駆動軸２２に同軸に取り付けられたモータプーリ２３と、第１回転軸２４に同軸に取り付けられた第１従動プーリ２５と、第２回転軸２６に同軸に取り付けられた第２従動プーリ２７とにまたがってベルト２８が巻きかけられ、第１回転軸２４及び第２回転軸２６は、モータ２１によって、時計回り方向又は反時計回り方向に回転駆動されるようになっている。ここで、第１回転軸２４及び第２回転軸２６の外周部には、それぞれ、従動プーリ近傍部を除いて雄ねじが切られている。
【００２２】
他方、移動ミラー１５を保持するミラーホルダ２９には、それぞれ、第１回転軸２４及び第２回転軸２６の雄ねじ部と螺合する第１雌ねじ部３０及び第２雌ねじ部３１が設けられている。ここで、モータ２１がある回転方向（例えば、時計回り方向）に回転し、これに伴って第１回転軸２４及び第２回転軸２６が該方向に回転すると、前記のとおり両回転軸２４、２６の雄ねじ部と両雌ねじ部３０、３１とが螺合しているので、ミラーホルダ２９ひいては移動ミラー１５がＡ1方向に直線状に移動（スライド）する。他方、モータ２１が反対方向（例えば、反時計回り方向）に回転すると、ミラーホルダ２９ひいては移動ミラー１５がＡ2方向に直線状に移動（スライド）する。
【００２３】
かくして、図２（ａ）にその状態が示されているように、移動ミラー１５が画像表示手段１３からの光３２の光路上に位置する（Ａ1側に位置する）ときには、露光部８はデジタル露光モードとなり、画像表示手段１３の上記光３２が順に移動ミラー１５と固定ミラー１６とによって反射された後、順に焼付レンズ１８とＢＧＲフィルタ１９とを透過して印画紙３に照射（露光）される。
【００２４】
他方、図２（ｂ）にその状態が示されているように、移動ミラー１５がＡ2方向に大幅に移動してＡ2側の位置に配置されたときには、露光部８はネガ露光モードとなり、ネガフィルム１４の透過光３３が固定ミラー１６によって反射された後、順に焼付レンズ１８とＢＧＲフィルタ１９とを透過して印画紙３に照射される。この場合、第１ランプ１０は消灯されることになるが、仮に点灯されていたとしても、画像表示手段１３からの光３２は固定ミラー１６には入射されず、したがって印画紙３には到達しない。なお、前記のデジタル露光モードでは、第２ランプ１２は消灯されるが、仮に点灯されていたとしても、ネガフィルム１４の透過光３３は移動ミラー１５によって遮られ、固定ミラー１６には入射されず、したがって印画紙３には到達しない。
【００２５】
このように、移動ミラー１５をＡ1、Ａ2方向に移動させて光反射手段１７の反射特性を変化させるだけで、画像表示手段１３の露光とネガフィルム１４の露光とを切り替えることができる。
なお、図２（ａ）、（ｂ）に示す例では、両光３２、３３を調光するための調光フィルタとして、Ｂ（ブルー）、Ｇ（グリーン）、Ｒ（レッド）の各フィルタを回転させる加色調光方式のＢＧＲフィルタを用いている。しかしながら、調光フィルタはこれに限られるものではなく、例えば、Ｙ（イエロー）、Ｍ（マゼンタ）、Ｃ（シアン）の各フィルタを重ねて配置する減色調光方式の調光フィルタであってもよい。
また、図２（ａ）、（ｂ）に示す、調光フィルタ１９、焼付レンズ１８、ミラー１５、１６、被露光体１３、１４等の配置形態は単なる例示であり、これに限られるものではないのはもちろんである。
【００２６】
ところで、この写真焼付装置１では、デジタル露光モード時には、移動ミラー１５を微少量だけ移動させることにより光路を微少量だけ変化させて画素ずらしを行い、プリント写真の画質を高めるようにしているが、以下この画素ずらし手法を具体的に説明する。
図３及び図４は、それぞれ、デジタル露光モード時において、移動ミラー１５をＡ1、Ａ2方向に微少量だけ移動させた場合における画像表示手段１３からの光３２の光路の変化を示す図である。なお、図３と図４とは、それぞれ、露光部８の上面平面図と斜視図とである。
【００２７】
図３及び図４に示すように、デジタル露光モード時においては、基本的には、第１ランプ１０から放射された光は画像表示手段１３により（透過、反射等により）画像を含む光３２となり、該光３２は、移動ミラー１５と固定ミラー１６とで反射された後、焼付レンズ１８と調光用のＢＧＲフィルタ１９とを透過して印画紙３に照射（露光）される。なお、印画紙３は矢印Ｂ方向（下向き）に搬送されている。ここで、移動ミラー１５をＡ1、Ａ2方向に微少量だけ移動させると、光反射手段１７の反射特性がわずかに変化し、これに伴って光３２の印画紙３への結像位置が微少量だけ変化する。例えば、移動ミラー１５を基準位置に配置したとき（実線）は光３２ａとなるが、移動ミラー１５を基準位置から微少量だけＡ2方向に移動させたときには光３２ｂとなる。すなわち、印画紙３に照射される画像は、微少な距離ｄだけ基準状態から横方向（印画紙の広がり面上において、印画紙搬送方向（Ｂ方向）と垂直な方向）にずれることになる。
【００２８】
写真焼付装置１では、このような現象を利用して、画像表示手段１３の画素と画素との間の空白部（隙間）に、あたかも画素が存在するのと同様の効果を生じさせて「画素ずらし」を行う。換言すれば、画像表示手段１３の各画素の印画紙３への投影像である画素投影像が、それぞれ該画素投影像に隣接する無画像部に移動するよう、光３２の印画紙３への照射位置をずらせる。これは、移動ミラー１５の移動量を、印画紙３上での画像表示手段１３の画素ピッチに対応した適正量だけ移動させることにより行われる。
【００２９】
ところで、このような移動ミラー１５の移動による画素ずらしは、印画紙広がり面上において印画紙３の搬送方向（Ｂ方向）に垂直な方向に対してのみ行うことができる。したがって、移動ミラー１５の移動による画素ずらしでは、印画紙搬送方向（Ｂ方向）への画素ずらしは行うことができない。そこで、この写真焼付装置１では、印画紙搬送機構４で印画紙３を微少量だけ印画紙搬送方向（Ｂ方向）に移動させることにより、印画紙搬送方向への画素ずらしを行うようにしている。なお、印画紙３がロール状ないしは帯状のものであっても、印画紙搬送機構４により印画紙３を印画紙搬送方向に容易に移動させることができるのはもちろんである。
【００３０】
したがって、例えば、前記の図８（ｂ）に示す画素ずらしの例では、まず基準位置（基準状態）で露光して第１画素投影像１１０を焼き付け、続いて移動ミラー１５のＡ2方向への移動により右方向への画素ずらしを行って第２画素投影像１１２を焼き付け、次に印画紙搬送機構４により前方向への画素ずらしを行って第３画素投影像１１３を焼き付け、この後移動ミラー１５のＡ1方向への移動により左方向への画素ずらしを行って第４画素投影像１１４を焼き付けることになる。
【００３１】
なお、この写真焼付装置１においては、画素ずらしを行うときには、図示していない画像表示切替手段（例えば、パーソナルコンピュータ等）によって、画像表示手段１３の画像が無画像部に形成すべき適切な画像に切り替えられるようになっている。すなわち、画素ずらしを行うたびに、焼き付ける画像は少しずつ変化させられる。換言すれば、画像表示手段１３には、画素ずらし時に異なる画像が表示されるようになっている。つまり、画素ずらしされない場合の画素と画素との間に挿入すべき画素のデータを、補完処理を行うことにより、又は画像読み取り手段からダイレクトに得て、画素ずらし露光時に画像表示手段に表示させるようになっている。これにより、プリント写真の画質が一層良好となる。
【００３２】
図３及び図４に示す写真焼付装置１では、印画紙搬送方向の画素ずらしは、印画紙搬送機構４を利用して行うようにしているが、移動ミラーないしその移動機構を２組設ければ、印画紙搬送機構４を利用せずに、印画紙搬送方向と、印画紙広がり面上でこれに垂直な方向との両方について、移動ミラーの移動のみにより画素ずらしを行うことができる。図６に、移動ミラーないしその移動機構を２組設けて、移動ミラーの移動のみにより画素ずらしを行うようにした写真焼付装置の露光部の具体例を示す。
【００３３】
図６に示すように、この露光部８’には、Ａ1、Ａ2方向に移動することができる前記の移動ミラー１５に加えて、Ｃ1、Ｃ2方向に移動することができる副移動ミラー３４が設けられている。この副移動ミラー３４は、光３２の光路において、移動ミラー１５よりも画素表示手段１３側（光源側）に配置されている。そして、この副移動ミラー３４は、移動ミラー１５の場合と同様に、例えば図５に示すようなスライド機構２０によりＣ1、Ｃ2方向に直線状に移動させられるようになっている。ここで、副移動ミラー３４がＣ1方向に微少量だけ移動したときには画像表示手段１３からの光３２が印画紙進行方向に微少量だけずらされ、他方Ｃ2方向に微少量だけ移動したときには該光３２は印画紙進行方向とは反対方向に微少量だけずらされる。したがって、副移動ミラー３４をＣ1、Ｃ2方向に微少量だけ移動させることにより、印画紙搬送方向の画素ずらしを行うことができる。
なお、ミラー移動機構はかかるスライド機構２０に限られるものではなく、これ以外のどのようなミラー移動機構を用いてもよいのはもちろんである。
【００３４】
かくして、図６に示す写真焼付装置の露光部８’では、移動ミラー１５のＡ1、Ａ2方向への移動により、印画紙広がり面上において印画紙搬送方向に垂直な方向への画素ずらしが行われ、他方副移動ミラー３４のＣ1、Ｃ2方向への移動により印画紙搬送方向への画素ずらしが行われる。したがって、印画紙搬送機構４を利用せずに、移動ミラー１５及び副移動ミラー３４の移動量を適切に組み合わせることにより、印画紙３及び画像表示手段１３を移動させずに画素ずらし露光を行うことができる。
【図面の簡単な説明】
【図１】  （ａ）は本発明にかかる写真焼付装置の斜視図であり、（ｂ）は（ａ）に示す写真焼付装置の模式的な立面断面図であり、（ｃ）は（ａ）に示す写真焼付装置の模式的な平面断面図である。
【図２】  （ａ）は画像表示手段からの光を印画紙に照射するデジタル露光モード時における、写真焼付装置のランプから印画紙に至る光路に配置された各種機器の斜視図であり、（ｂ）はネガフィルムの透過光を印画紙に照射するネガ露光モード時における（ａ）と同様の図である。
【図３】  デジタル露光モード時において画素ずらしを行う場合における、写真焼付装置のランプから印画紙に至る光路に配置された各種機器の平面図である。
【図４】  デジタル露光モード時において画素ずらしを行う場合における、写真焼付装置のランプから印画紙に至る光路に配置された各種機器の斜視図である。
【図５】  写真焼付装置の移動ミラーを移動させるスライド機構の斜視図である。
【図６】  移動ミラーを２つ設けた場合における、写真焼付装置のランプから印画紙に至る光路に配置された各種機器の斜視図である。
【図７】  （ａ）は、印画紙を移動させることにより画素ずらしを行うようにした写真焼付装置のランプから印画紙までの光路中に配置された機器の斜視図であり、（ｂ）は、画像表示装置を移動させることにより画素ずらしを行うようにした写真焼付装置のランプから印画紙までの光路中に配置された機器の斜視図である。
【図８】  （ａ）は、画素ずらしを行わない場合における印画紙に焼き付けられた画像の模式図であり、（ｂ）は、画素ずらしを行った場合における（ａ）と同様の図である。
【図９】  （ａ）、（ｂ）、（ｃ）は、それぞれ、画像表示手段の露光とネガフィルムの露光とを切り替える切り替え装置を備えた従来の写真焼付装置の斜視図である。
【符号の説明】
１…写真焼付装置、２…ペーパーマガジン、３…印画紙、４…印画紙搬送機構、５…焼付部、６…現像処理部、７…乾燥部、８…露光部、９…第１ランプボックス、１０…第１ランプ、１１…第２ランプボックス、１２…第２ランプ、１３…画像表示手段、１４…ネガフィルム、１５…移動ミラー、１６…固定ミラー、１７…光反射手段、１８…焼付レンズ、１９…ＢＧＲフィルタ、２０…スライド機構、２１…モータ、２２…駆動軸、２３…モータプーリ、２４…第１回転軸、１５…第１従動プーリ、２６…第２回転軸、２７…第２従動プーリ、２８…ベルト、２９…ミラーホルダ、３０…第１雌ねじ部、３１…第２雌ねじ部、３２…画像表示装置からの光、３３…ネガフィルムの透過光、３４…副移動ミラー、１０１…ランプ、１０２…光、１０３…画像表示手段、１０４…焼付レンズ、１０５…ＢＧＲフィルタ、１０６…可動ステージ、１０７…印画紙、１０８…可動ステージ、１１０…画素投影部、１１１…無画像部、１１２…第２画素投影部、１１３…第３画素投影部、１１４…第４画素投影部、１２０…写真焼付装置、１２１…ＬＣＤユニット、１２２…オートネガマスク。
【図１】
0004123584.tif 000002
【図２】
0004123584.tif 000003
【図３】
0004123584.tif 000004
【図４】
0004123584.tif 000005
【図５】
0004123584.tif 000006
【図６】
0004123584.tif 000007
【図７】
0004123584.tif 000008
【図８】
0004123584.tif 000009
【図９】
0004123584.tif 000010